【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
上面が開口した炊飯器本体と、前記炊飯器本体内に着脱自在に収納される鍋と、前記炊飯器本体の上面開口部を開閉自在に覆う蓋と、前記鍋を加熱する加熱手段と、前記鍋と前記鍋に入れられた調理物の重量との総重量を検知し検知信号を出力する重量検知部と、少なくとも前記重量検知部が検知した前記鍋の検知信号を鍋検知信号として記憶する揮発性の第一の記憶手段と、少なくとも所定の鍋検知信号を記憶する不揮発性の第二の記憶手段と、前記重量検知部が検知した検知信号を前記第一の記憶手段に記憶させる記憶要求手段と、前記重量検知部が検知する検知信号と前記第一の記憶手段が記憶している鍋検知信号との差より前記鍋内の内容量を算出する算出手段とを備え、前記算出手段が内容量を算出するとき、前記第一の記憶手段に記憶している鍋検知信号が所定の範囲内になければ、前記第一の記憶手段は前記第二の記憶手段に記憶している所定の鍋検知信号を記憶するよう構成した炊飯器。
【請求項２】
上面が開口した炊飯器本体と、前記炊飯器本体内に着脱自在に収納される鍋と、前記炊飯器本体の上面開口部を開閉自在に覆う蓋と、前記鍋を加熱する加熱手段と、前記鍋と前記鍋に入れられた調理物の重量との総重量を検知し検知信号を出力する重量検知部と、少なくとも前記重量検知部が検知した前記鍋の検知信号を鍋検知信号として記憶する揮発性の第一の記憶手段と、少なくとも所定の鍋検知信号を記憶する不揮発性の第二の記憶手段と、前記重量検知部が検知した検知信号を前記第一の記憶手段に記憶させる記憶要求手段と、前記重量検知部が検知する検知信号と前記第一の記憶手段または前記第二の記憶手段が記憶している鍋検知信号との差より前記鍋内の内容量を算出する算出手段とを備え、前記算出手段が内容量を算出するとき、前記算出手段は前記第一の記憶手段に記憶している鍋検知信号が所定の範囲内にあれば、前記第一の記憶手段に記憶している鍋検知信号のもとに算出を行い、所定の範囲内になければ、前記第二の記憶手段に記憶している鍋検知信号のもとに算出するよう構成した炊飯器。
【請求項３】
上面が開口した炊飯器本体と、前記炊飯器本体内に着脱自在に収納される鍋と、前記炊飯器本体の上面開口部を開閉自在に覆う蓋と、前記鍋を加熱する加熱手段と、前記鍋と前記鍋に入れられた調理物の重量との総重量を検知し検知信号を出力する重量検知部と、少なくとも前記重量検知部が検知した前記鍋の検知信号を鍋検知信号として記憶する揮発性の第一の記憶手段と、少なくとも所定の鍋検知信号を記憶する不揮発性の第二の記憶手段と
、前記重量検知部が検知した検知信号を前記第一の記憶手段に記憶させる記憶要求手段と、前記重量検知部が検知する検知信号と前記第一の記憶手段または前記第二の記憶手段が記憶している鍋検知信号との差より前記鍋内の内容量を算出する算出手段と、前記第一の記憶手段の初期化を行う初期化手段とを備え、前記初期化手段が前記第一の記憶手段を初期化するとき、前記第一の記憶手段は初期化したことを示す情報を合わせて記憶するとともに、前記記憶要求手段により前記第一の記憶手段に記憶したとき、初期化したことを示す情報を消去するようにし、前記算出手段が内容量を算出するとき、前記第一の記憶手段が初期化された情報を記憶していれば、第二の記憶手段に記憶している所定の鍋検知信号を使用し算出するよう構成した炊飯器。
【請求項４】
第一の記憶手段の初期化を行う初期化手段を備え、初期化手段が第一の記憶手段を初期化するとき、第一の記憶手段は所定の範囲外の信号を記憶するようにした請求項１または２記載の炊飯器。
【請求項５】
調整信号を出力する調整手段を備え、第一の記憶手段に第二の記憶手段が記憶している所定の鍋検知信号を記憶するとき、前記調整手段からの調整信号により調整して記憶するようにした請求項１記載の炊飯器。
【請求項６】
調整信号を出力する調整手段を備え、算出手段が内容量を算出するとき第二の記憶手段をもとに算出する場合、前記調整手段からの調整信号により第二の記憶手段が記憶している所定の鍋検知信号を調整して算出するようにした請求項２または３記載の炊飯器。
【請求項７】
調整手段からの調整信号が所定の範囲外のとき、調整信号による調整を行わないで第一の記憶手段に第二の記憶手段が記憶している所定の鍋検知信号を記憶するようにした請求項５記載の炊飯器。
【請求項８】
調整手段からの調整信号が所定の範囲外のとき、調整信号による調整を行わないで算出手段は第二の記憶手段が記憶している所定の鍋検知信号をもとに算出するようにした請求項６記載の炊飯器。
【請求項９】
表示を行う表示手段を備え、第一の記憶手段に第二の記憶手段が記憶している所定の鍋検知信号を記憶してから、記憶要求手段により新たな鍋検知信号が第一の記憶手段に記憶されるまで前記表示手段は表示を行うようにした請求項１記載の炊飯器。
【請求項１０】
表示を行う表示手段を備え、算出手段が第二の記憶手段に記憶している所定の鍋検知信号をもとに内容量を算出するとき、前記表示手段は表示を行うようにした請求項２または３記載の炊飯器。
【手続補正２】
【補正対象書類名】明細書
【補正対象項目名】全文
【補正方法】変更
【補正の内容】
【発明の詳細な説明】
【発明の名称】炊飯器
【技術分野】
【０００１】
本発明は、鍋に入れた調理物の重量を検知する機能を有する炊飯器に関するものである。
【背景技術】
【０００２】
従来、この種の炊飯器は、鍋の下方に重量を検出する重量検出手段を備え、この重量検出手段により鍋内の米量を検出し、表示するようにしている（例えば、特許文献１参照）。
【０００３】
使用者は、まず中に何も入れていない空の鍋（以下、空鍋という）を炊飯器本体内にセットし、この空鍋の重量検出手段からの出力をメモリに記憶する。続いて、鍋内に米を入れ、さらに重量検出手段の出力を読み、この出力値からメモリに記憶している空鍋時の出力値の差をとることで、米のみの重量値を知ることができる。
【０００４】
例えば、空鍋の重量を６００ｇとし、その状態から米を入れた状態の重量が９００ｇとすると、その差は３００ｇであり、それが米の重量ということになる。米１カップは約１５０ｇなので、検出した米重量から１５０ｇを割ることでカップ数を知ることができる。この場合３００ｇなので、２カップであり、それを表示部に表示することで、使用者は鍋内に入れた米量が２カップであることを認知できる。
【０００５】
ここで、炊飯器と鍋とはセットで販売されているので、空鍋の重量値のメモリへの記憶は一度行うだけで良い。二度目からは鍋内に直接米をセットした状態でも、米量は検出できる。さらに工場出荷時に予め記憶しておくことで、使用者は空鍋の重量値の記憶の手間を省くことができる。
【特許文献１】特開２００４−２４８８０５号公報
【発明の開示】
【発明が解決しようとする課題】
【０００６】
しかしながら、このような従来の構成において、空鍋時の重量検出手段からの出力をメモリに記憶しているが、このメモリをマイクロコンピュータに内蔵されているＲＡＭなどで実現した場合、機器の電池切れなどの電源電圧低下が発生すると、記憶していた内容が消去されてしまう。その結果、使用者は消去されたことを認知せぬまま、鍋内に直接米をセットし米量を検出しようとすると、本来の米のみの表示ではなく、空鍋の重量を含んだ量を表示してしまうという課題があった。
【０００７】
また、空鍋時の重量検出手段からの出力をメモリに記憶する際、誤って空鍋ではないときの出力を記憶してしまった場合も、米量を検出が不正確になるという課題があった。
【０００８】
本発明は上記従来の課題を解決するもので、空鍋状態の重量検出手段の出力値の情報が消去などされ、不正確な状態となっても、ある程度正確な内容量の検出が行える炊飯器を提供することを目的とする。
【課題を解決するための手段】
【０００９】
本発明は蒸気目的を達成するために、上面が開口した炊飯器本体内に鍋を着脱自在に収納し、この鍋を加熱手段により加熱し、炊飯器本体の上面開口部を蓋により開閉自在に覆い、鍋と鍋に入れられた調理物の重量との総重量を重量検知部により検知して検知信号を出力し、少なくとも重量検知部が検知した鍋の検知信号を鍋検知信号として揮発性の第一の記憶手段に記憶し、少なくとも所定の鍋検知信号を不揮発性の第二の記憶手段に記憶し、記憶要求手段により重量検知部が検知した検知信号を第一の記憶手段に記憶させ、重量検知部が検知する検知信号と第一の記憶手段が記憶している鍋検知信号との差より鍋内の内容量を算出手段により算出し、初期化手段により第一の記憶手段の初期化を行うよう構成し、初期化手段が第一の記憶手段を初期化するとき、第一の記憶手段は第二の記憶手段に記憶している所定の鍋検知信号を記憶するよう構成したものである。
【００１０】
これにより、初期化手段が第一の記憶手段を初期化するとき、第一の記憶手段は第二の
記憶手段に記憶している所定の鍋検知信号を記憶するので、第二の記憶手段に空鍋の生産的な基準値を予め記憶させておくことで、第一の記憶手段の初期化の際に自動でこの値を記憶することができ、空鍋状態の重量検出部の出力値の情報が消去などされて不正確な状態となっても、ある程度正確な内容量の検知を行うことができる。
【発明の効果】
【００１１】
本発明の炊飯器は、第一の記憶手段の初期化の際に自動で第二の記憶手段に記憶している所定の鍋検知信号を記憶することができるので、記憶要求手段により鍋検知信号を記憶しなくても、算出手段はある程度正確な値で内容量を算出できる。
【発明を実施するための最良の形態】
【００１２】
第１の発明は、上面が開口した炊飯器本体と、前記炊飯器本体内に着脱自在に収納される鍋と、前記炊飯器本体の上面開口部を開閉自在に覆う蓋と、前記鍋を加熱する加熱手段と、前記鍋と前記鍋に入れられた調理物の重量との総重量を検知し検知信号を出力する重量検知部と、少なくとも前記重量検知部が検知した前記鍋の検知信号を鍋検知信号として記憶する揮発性の第一の記憶手段と、少なくとも所定の鍋検知信号を記憶する不揮発性の第二の記憶手段と、前記重量検知部が検知した検知信号を前記第一の記憶手段に記憶させる記憶要求手段と、前記重量検知部が検知する検知信号と前記第一の記憶手段が記憶している鍋検知信号との差より前記鍋内の内容量を算出する算出手段とを備え、前記算出手段が内容量を算出するとき、前記第一の記憶手段に記憶している鍋検知信号が所定の範囲内になければ、前記第一の記憶手段は前記第二の記憶手段に記憶している所定の鍋検知信号を記憶するよう構成したものであり、算出手段が算出を行うとき誤りを検知し第一の記憶手段に第二の記憶手段の所定の鍋検知信号を記憶することができるので、記憶要求手段により第一の記憶手段の鍋検知信号に空鍋以外の重量信号を誤って記憶させたとしても、算出手段はある程度正確な値で内容量を算出できる。
【００１３】
第２の発明は、上面が開口した炊飯器本体と、前記炊飯器本体内に着脱自在に収納される鍋と、前記炊飯器本体の上面開口部を開閉自在に覆う蓋と、前記鍋を加熱する加熱手段と、前記鍋と前記鍋に入れられた調理物の重量との総重量を検知し検知信号を出力する重量検知部と、少なくとも前記重量検知部が検知した前記鍋の検知信号を鍋検知信号として記憶する揮発性の第一の記憶手段と、少なくとも所定の鍋検知信号を記憶する不揮発性の第二の記憶手段と、前記重量検知部が検知した検知信号を前記第一の記憶手段に記憶させる記憶要求手段と、前記重量検知部が検知する検知信号と前記第一の記憶手段または前記第二の記憶手段が記憶している鍋検知信号との差より前記鍋内の内容量を算出する算出手段とを備え、前記算出手段が内容量を算出するとき、前記算出手段は前記第一の記憶手段に記憶している鍋検知信号が所定の範囲内にあれば、前記第一の記憶手段に記憶している鍋検知信号のもとに算出を行い、所定の範囲内になければ、前記第二の記憶手段に記憶している鍋検知信号のもとに算出するよう構成したものであり、算出手段が算出を行うとき誤りを検知し第一の記憶手段に替え、第二の記憶手段の所定の鍋検知信号で算出することができるので、記憶要求手段により第一の記憶手段の鍋検知信号に空鍋以外の重量信号を誤って記憶させたとしても、算出手段はある程度正確な値で内容量を算出できる。
【００１４】
第３の発明は、上面が開口した炊飯器本体と、前記炊飯器本体内に着脱自在に収納される鍋と、前記炊飯器本体の上面開口部を開閉自在に覆う蓋と、前記鍋を加熱する加熱手段と、前記鍋と前記鍋に入れられた調理物の重量との総重量を検知し検知信号を出力する重量検知部と、少なくとも前記重量検知部が検知した前記鍋の検知信号を鍋検知信号として記憶する揮発性の第一の記憶手段と、少なくとも所定の鍋検知信号を記憶する不揮発性の第二の記憶手段と、前記重量検知部が検知した検知信号を前記第一の記憶手段に記憶させる記憶要求手段と、前記重量検知部が検知する検知信号と前記第一の記憶手段または前記第二の記憶手段が記憶している鍋検知信号との差より前記鍋内の内容量を算出する算出手
段と、前記第一の記憶手段の初期化を行う初期化手段とを備え、前記初期化手段が前記第一の記憶手段を初期化するとき、前記第一の記憶手段は初期化したことを示す情報を合わせて記憶するとともに、前記記憶要求手段により前記第一の記憶手段に記憶したとき、初期化したことを示す情報を消去するようにし、前記算出手段が内容量を算出するとき、前記第一の記憶手段が初期化された情報を記憶していれば、第二の記憶手段に記憶している所定の鍋検知信号を使用し算出するよう構成したものであり、初期化手段が働いてから記憶要求手段が働くまでの間、初期化したことを示す情報があるので、算出手段が算出を行うときに、この情報を確認することで第一の記憶手段の鍋検知信号が記憶要求手段により記憶されていないということが判定でき、代わりに第二の記憶手段に予め記憶している所定の鍋検知信号を使用して算出することができ、ある程度正確な値で内容量を算出できる。
【００１５】
第４の発明は、上記第１または第２の発明において、第一の記憶手段の初期化を行う初期化手段を備え、初期化手段が第一の記憶手段を初期化するとき、第一の記憶手段は所定の範囲外の信号を記憶するようにしたものであり、第一の記憶手段を初期化手段により初期化する際は、所定の範囲外の信号を記憶するので、算出手段が算出を行うときに、記憶要求手段により第一の記憶手段に鍋検知信号を記憶していないときは所定の範囲外となり、第二の記憶手段に予め記憶している所定の鍋検知信号を使用して算出することができる。
【００１６】
第５の発明は、上記第１の発明において、調整信号を出力する調整手段を備え、第一の記憶手段に第二の記憶手段が記憶している所定の鍋検知信号を記憶するとき、前記調整手段からの調整信号により調整して記憶するようにしたものであり、第二の記憶手段の所定の鍋検知信号が書換え不可でも調整して第一の記憶手段に記憶することができる。
【００１７】
第６の発明は、上記第２または第３の発明において、調整信号を出力する調整手段を備え、算出手段が内容量を算出するとき第二の記憶手段をもとに算出する場合、前記調整手段からの調整信号により第二の記憶手段が記憶している所定の鍋検知信号を調整して算出するようにしたものであり、第二の記憶手段の所定の鍋検知信号が書換え不可でも調整して算出手段により算出することができる。
【００１８】
第７の発明は、上記第５の発明において、調整手段からの調整信号が所定の範囲外のとき、調整信号による調整を行わないで第一の記憶手段に第二の記憶手段が記憶している所定の鍋検知信号を記憶するようにしたものであり、調整手段の調整信号の異常を判定でき、異常時は調整手段による調整を禁止することができる。
【００１９】
第８の発明は、上記第６の発明において、調整手段からの調整信号が所定の範囲外のとき、調整信号による調整を行わないで算出手段は第二の記憶手段が記憶している所定の鍋検知信号をもとに算出するようにしたものであり、調整手段の調整信号の異常を判定でき、異常時は調整手段による調整を禁止することができる。
【００２０】
第９の発明は、上記第１の発明において、表示を行う表示手段を備え、第一の記憶手段に第二の記憶手段が記憶している所定の鍋検知信号を記憶してから、記憶要求手段により新たな鍋検知信号が第一の記憶手段に記憶されるまで前記表示手段は表示を行うようにしたものであり、表示手段の表示を使用者が確認することで、記憶要求手段により鍋検知信号が記憶されていないことと、そのとき算出手段により算出すると値が不正確であることが認知できる。
【００２１】
第１０の発明は、上記第２または第３の発明において、表示を行う表示手段を備え、算出手段が第二の記憶手段に記憶している所定の鍋検知信号をもとに内容量を算出するとき
、前記表示手段は表示を行うようにしたものであり、表示手段の表示を使用者が確認することで、記憶要求手段により鍋検知信号が記憶されていないことと、そのとき算出手段により算出した値が不正確であることが認知できる。
【００２２】
以下、本発明の実施の形態について、図面を参照しながら説明する。なお、この実施の形態によって本発明が限定されるものではない。
【００２３】
（実施の形態１）
図１は本発明の実施の形態１の炊飯器のブロック図、図２は同炊飯器の一部切欠した側面図、図３は同炊飯器の一部ブロック化した要部回路図、図４は同炊飯器の動作・表示部の拡大平面図を示すものである。なお、図面を簡潔にするために、電気的接続のためのリード線等は省略してある。
【００２４】
図２に示すように、炊飯器本体１０は、上面を開口し、その上面開口部を覆う蓋２０を開閉自在に設置している。炊飯器本体１０の収納部３０は、上方の上枠３２と下方のコイルベース３１とから構成しており、収納部３０には、磁性体製の鍋１２を着脱自在に収納する。コイルベース３１の鍋１２の底部に対向する部分に鍋１２を誘導加熱する加熱コイル１３を配設している。
【００２５】
回路基板１４は、図１に示すように、加熱手段２０１を構成する駆動手段２０２、制御手段２０３や、表示手段２０７などで構成し、加熱手段２０１を構成する加熱コイル１３の動作を制御して鍋１２を誘導加熱し、鍋１２内の調理物１９を加熱調理する。
【００２６】
第一の記憶手段２０５は少なくとも重量検知部４０が検知した鍋１２の検知信号を鍋検知信号として記憶するものであり、第二の記憶手段２１０は少なくとも所定の鍋検知信号を記憶するものである。記憶要求手段２１１は重量検知部４０が検知した検知信号を第一の記憶手段２０５に記憶させるものである。算出手段２０６は重量検知部４０が検知する検知信号と第一の記憶手段２０５が記憶している鍋検知信号との差より鍋１２内の内容量を算出する。初期化手段２０９は第一の記憶手段２０５の初期化を行うものであり。調整手段２１２は調整信号を出力するものである。
【００２７】
制御手段２０３は、図３に示すマイクロコンピュータ（以下、マイコンという）１００によって実現している。また、マイコン１００は、第一の記憶手段２０５や第二の記憶手段２１０、重量を算出する算出手段２０６も含んでいる。さらに、このマイコン１００内には電源を監視し低電圧状態ならリセットする低電圧検知回路を内蔵している。この低電圧検知回路は、台地の記憶手段２０５の初期化を行う初期化手段２０９を構成している。
【００２８】
調理物１９は、炊飯前の米、米と水との混合物または炊き上がったご飯等である。この炊飯器は図示しない電源コードを有し、電源コードから商用電源が供給されたときに「電源オン」の状態になる。
【００２９】
鍋温度検知手段１５は、鍋１２の温度を検知するもので、コイルベース３１の底部に配設し、この鍋温度検知手段１５は、鍋１２が収納部３０に収納されると鍋１２の底の中央部に当接し、鍋１２の温度を検知することで調理物１９の温度を検知し、その出力を制御手段２０３に入力している。鍋検知手段１６は、鍋１２が収納部３０に収納されているか否かを検知するもので、この鍋検知手段１６は、炊飯器本体１０に剛体接続されたマイクロスイッチで構成し、鍋１２が収納部３０に収納されると、鍋温度検知手段１５の底に設けた突起部がマイクロスイッチを押下し、鍋検知手段１６はオン信号を出力する。
【００３０】
蓋開閉検知手段２１は、蓋２０の開閉を検知するもので、この蓋開閉検知手段２１は炊
飯器本体１０に設け、マイクロスイッチで構成し、蓋２０が開くと蓋２０のヒンジ部がマイクロスイッチを押下し、蓋開閉検知手段２１はオン信号を出力する。蓋開閉検知手段２１は、炊飯器の電源が入っている状態では常に動作しており、オン信号またはオフ信号を出力している。
【００３１】
重量検知部４０は、鍋１２と鍋１２に入れられた調理物１９の重量との総重量を検知し、検知信号を出力するもので、この重量検知部４０の主要部は、支持部１７およびロードセル１８で構成し、ロードセル１８は、ロバーバル型のロードセル（荷重変換器）であり、炊飯器本体１０に剛体接続している。ロードセル１８に抵抗線ひずみゲージ（図示せず）を取り付けている。ロードセル１８が歪んだときのひずみゲージの抵抗変化をブリッジ回路で電気信号として取り出すよう構成している。
【００３２】
支持部１７は、薄板に３つの突起部を設けた形状を有し、薄板はロードセル１８の一端にねじ止めしている。支持部１７の突起部は、コイルベース３１の底部に設けた３つの孔をそれぞれ貫通しており、鍋１２が収納部３０に収納されていない場合、ロードセル１８は支持部１７の重量を検知する。鍋１２が収納部３０に収納されると、鍋１２の底部が支持部１７の突起部の先端に当接し、ロードセル１８が歪む。鍋１２が収納部３０に収納されると、ロードセル１８は、支持部１７、鍋１２および鍋１２の中の調理物１９の総重量を検知する。すなわち、重量検知部４０は、鍋の底面を３点支持する支持部１７を通して、正確に鍋１２および被加熱物（調理物１９）の重量を測定するよう構成している。
【００３３】
鍋温度検知手段１５、鍋検知手段１６、蓋開閉検知手段２１、重量検知部４０からの電気信号は、それぞれ回路基板１４に入力される。
【００３４】
つぎに、図４に示すように炊飯器本体１０の前面に操作・表示部５０を設けている（図２では図示せず）。操作・表示部５０に、キー入力手段５１、水量表示部５２、液晶表示素子５３を配置している。キー入力手段５１として、米計量スイッチ５１ａ、保温スイッチ５１ｂ、タイマー予約を行うための予約スイッチ５１ｃ、炊飯コースを選択するコーススイッチ５１ｄ、炊飯スイッチ５１ｅ、取消／切スイッチ５１ｆ、予約時刻（時と分）を合わせる時スイッチ５１ｇおよび分スイッチ５１ｈを配置している。キー入力手段５１はマイコン１００に接続してい。
【００３５】
ここで、米計量スイッチ５１ａは、２秒未満押して放したときは後述する算出手段２０６へ算出要求を行う算出要求手段２０８として機能し、５秒以上の連続押ししたときは後述する第一の記憶手段２０５へ記憶要求を行う記憶要求手段２１１として機能するようマイコン１００は調整されている。
【００３６】
水量表示部５２は、操作・表示部５０の上部に配置された５個のランプ５２ａ〜５２ｅを有する。ご飯の固さは米量および水量に依存する。鍋１２に米を入れた後、米計量スイッチ５１ａを押して米量を測定し、その後に水を入れる。実施の形態１の炊飯器は、使用者が鍋１２に入れた米量を測定し、米量および水量に対応するご飯の固さに応じて、水量表示部５２のランプ５２ａ〜５２ｅのうち該当するランプを点灯または点滅させる。ランプ５２ａの左上に「かため」、ランプ５２ｃの上に「ふつう」、ランプ５２ｅの右上に「やわらかめ」の文字が印刷されており、ユーザは、水量表示部５２を確認しながら、好みの固さのご飯を炊くための水加減を行うことができる。
【００３７】
液晶表示素子５３には、操作案内表示部５４および米量表示部５５、時刻表示部５６を配置している。操作案内表示部５４は、使用者がつぎに行うべき操作または現在の状態を表示する表示部である。操作案内表示部５４には「水加減」表示部および「炊飯を押す」表示部を配置している。ユーザがつぎに行うべき操作は、各表示部の文字（「水加減」ま
たは「炊飯」の文字）の背景部分が黒く表示されることで示される。米量表示部５５は、鍋の絵と使用者が鍋１２に入れた米量（カップ数）の測定結果を表示する。
【００３８】
図４の表示例は、米および水の計量が終了した状態での表示である。鍋の絵と米量「２．３カップ」が米量表示部５５に表示されている。「炊飯を押す」表示部５４ｂの「炊飯」の文字の背景が黒く表示され、ユーザに炊飯スイッチ５１ｅを押すことを促している。
【００３９】
このように液晶表示素子５３は表示手段２０７であり、米量表示部５５とそれ以外の表示部とから構成されている。
【００４０】
つぎに、図３は回路基板１４の回路図であり、加熱コイル１３は、鍋１２を誘導加熱する。交流電源６１から交流電力が供給され、ダイオードブリッジ６２によって整流し、平滑コンデンサ６３、共振コンデンサ６４、スイッチング素子６５、加熱コイル１３よりなるインバータ回路により誘導加熱のための高周波電力を発生させる。インバータ回路は駆動手段２０２を構成するドライブＩＣ６７と誘導加熱制御用ＩＣ６８によって駆動されている。
【００４１】
電源ＩＣ６６は交流電源６１から動作のための直流電源を各回路に供給している。交流電源６１が開放されている場合は、電池８１により直流電源を各回路に供給している。この電池８１は主としてマイコン１００に内蔵しているＲＡＭの内容保持の目的に使用している。
【００４２】
サーミスタ６９は底温度検知手段１５の中に内蔵されており、サーミスタ６９が温度によって抵抗値が変化するのを利用して鍋１２の温度を検知している。水晶発振子７０の発振によって、マイコン１００内のタイマーをカウントして計時を行っている。そして、マイコン１００に入力された温度や計時している時間をもとに誘導加熱制御用ＩＣ６８を制御することにより、鍋１２の加熱を制御して炊飯を行っている。
【００４３】
蓋開閉検知スイッチ７１は、蓋開閉検知手段２１を構成し、蓋２０を開くとスイッチがオフし、蓋２０が閉じるとスイッチがオンすることにより、蓋開閉の検知を行う。表示は液晶表示パネル５３並びにランプ５２によって行っている。
【００４４】
重量検知は、ロードセル１８からの信号は微小なのでオペアンプと抵抗よりなる差動増幅回路７２によって増幅し、マイコン１００に入力するようにしている。ロードセル１８からの出力は、ロードセル１８にかかっている重量に比例している。マイコン１００では、この差動増幅回路７２によって増幅した信号をマイコン１００に内蔵の１２ｂｉｔのＡＤ変換器でＡＤ変換し電圧信号を数値に変換している。本実施の形態の炊飯器では、１ＬＳＢあたり１ｇとなるように差動増幅回路１１２を調整している。よって、ＡＤ変換結果が１５００ならば、これは１５００ｇの信号に相当する。以下、各入力信号の値はこのＡＤ変換した値で説明する。
【００４５】
上記構成において重量検知の動作を説明する。重量検知部４０の出力は、鍋１２が炊飯器本体１０に入っていない無負荷のときでも出力が出ている。重量検知部４０の無負荷時のマイコン１００への入力を無負荷信号Ｚとし、マイコン１００のＲＡＭである第一の記憶手段２０５に記憶する。さらに鍋１２が炊飯器本体１０にセットされているとき（鍋１２の中には何も入っていない空鍋状態）の入力をＮとするとき、無負荷信号Ｚとの差（Ｎ−Ｚ）が空鍋の重量分の信号となる。これを鍋検知信号Ｎ１とし、記憶要求手段２１１により、第一の記憶手段２０５に記憶する。
【００４６】
鍋１２が炊飯器本体１０にセットされており、鍋１２の中に調理物１９が入っている場
合の重量検知部４０のマイコン１００への入力をＭとすると、調理物１９の重量Ｍ１は、
Ｍ１＝Ｍ−Ｎ１−Ｚ・・・・・・（１）
となる。算出手段２０６は、この（１）式に従い、重量検知部４０からの信号を重量値に変換する。また、１カップあたり約１５０ｇなので、算出した重量Ｍ１を１５０で割ることで、重量をカップ数に変換できる。算出要求手段２０８である米計量スイッチ５１ａを使用者が操作したとき、検出した重量をカップ数に変換するようにしている。
【００４７】
ここで、重量検知部４０の無負荷時のマイコン１００への入力である無負荷信号Ｚはロードセル１８の経年劣化や室温などで出力値が変化する。その出力値の変化が重量検知の誤差の原因となる。そこで、重量検知直前に無負荷信号Ｚを入力することでロードセル１８の無負荷時の出力変化に対応し、誤差をなくすというゼロリセットが必要となってくる。本実施の形態では、蓋開閉検知手段２１によって蓋開を検知し、鍋検知手段１６で鍋１２が炊飯器本体１０にセットされていないとき無負荷と判断して無負荷時の入力を行い、第一の記憶手段２０５に記憶することによって、ゼロリセットしている。
【００４８】
鍋検知信号Ｎ１は、鍋１２が他のものと交換されない限り、ほとんど変化はない。よって、一度第一の記憶手段２０５に記憶すると、毎回記憶をし直す必要はない。本実施の形態では、蓋開閉検知手段２１によって蓋開を検知し、鍋検知手段１６で鍋１２を炊飯器本体１０にセットしていると判定しているときに、計量スイッチ５１ａを５秒以上連続で押すことで記憶要求手段２１１として機能し、第一の記憶手段２０５はそのときの入力Ｎから無負荷信号Ｚとの差である鍋検知信号Ｎ１を算出し記憶している。
【００４９】
この第一の記憶手段２０５はマイコン１００の揮発性メモリのＲＡＭで実現しているため、電池８１が切れてしまうと、初期化手段２０９であるマイコン１００内に内蔵されている低電圧検知回路によりマイコン１００にリセットがかかり、ＲＡＭもリセットする。本実施の形態のマイコン１００では、リセットしたときに、ＲＡＭをまず０でクリアするようにしているが、このときに鍋検知信号Ｎ１まで０にしてしまうと調理物１９の重量検知を行うと（１）式でＮ１が０となり、鍋１２の重量も含んだ状態で検知してしまう。
【００５０】
よって、本実施の形態では、初期化手段２０９が第一の記憶手段２０５を初期化するとき、第一の記憶手段２０５は第二の記憶手段２１０に記憶している所定の鍋検知信号を記憶するよう構成している。すなわち、低電圧検知回路がマイコン１００をリセットする際は、第一の記憶手段２０５のＮ１を０でクリアせず、マイコン１００内の電気的に書換え不可な不揮発性メモリのＲＯＭである第二の記憶手段２１０に予め記憶している初期化用鍋検知信号を第一の記憶手段２０５に記憶するようにしている。
【００５１】
このときの動作を図５を参照しながら説明する。図５は本実施の形態の炊飯器の第一の記憶手段２０５の初期化のプロセスを示すフローチャートである。
【００５２】
まず、ステップ１０１でマイコン１００内に内蔵されている低電圧検知回路が電源電圧の低下を検知すると、マイコン１００の制御部にリセット信号を出力する。ステップ１０２でマイコン１００は、プログラムを再スタートし、まずＲＡＭの初期化のため、ＲＡＭのアドレスを管理するレジスタ（以下、レジスタという）を初期化する。本実施の形態では、ＲＡＭは０ｘ００番地から０ｘＦＦ番地までの２５６バイトの容量があるものとするので、ステップ１０２ではレジスタに０ｘ００をセットする。ステップ１０３では、レジスタの値をチェックし、終了アドレス、すなわち０ｘＦＦ番地を超えているかチェックする。終了アドレスを超えていれば、初期化のプロセスを終了し、終了アドレスを超えていなければ、ステップ１０４に進む。
【００５３】
ステップ１０４では、レジスタの値をチェックし、鍋検知信号Ｎ１を保存するアドレス
なのかチェックする。保存するアドレスならばステップ１０５に進み、違うならばステップ１０７へ進む。ステップ１０５では、第二の記憶手段２１０に予め記憶している初期化用鍋検知信号を読み込み、続くステップ１０６でこの値をレジスタが示すアドレスに書込み、ステップ１０８へ進む。ステップ１０４でレジスタの値が鍋検知信号Ｎ１を保存するアドレスでないときはステップ１０７へ進み、レジスタが示すアドレスに０を書込み、ステップ１０８へ進む。ステップ１０８では、レジスタの値を１加算し、ステップ１０３に戻り、レジスタの終了アドレスのチェックを行う。
【００５４】
このようにすることで、０ｘ００〜０ｘＦＦ番地のＲＡＭのうち、鍋検知信号Ｎ１を保存する箇所を除いて０をセットし、鍋検知信号Ｎ１を保存する箇所は第二の記憶手段２１０に予め記憶している初期化用鍋検知信号をセットできるものである。
【００５５】
以上のように、マイコン１００にリセットがかかり、再スタートした後に鍋検知信号Ｎ１を記憶要求手段２１１により記憶し忘れても、初期化用鍋検知信号を第二の記憶手段２１０から読込みセットできているので、この状態で算出手段２０６が内容量の算出を行ってもある程度正確な値で算出することができる。例えば、鍋１２の重量を６００±３０ｇで生産するとしたとき、６００ｇを初期化用鍋検知信号として第二の記憶手段２１０に記憶させて出荷すれば、記憶要求手段２１１が動作しなくても、自動で第一の記憶手段２０５の鍋検知信号Ｎ１に６００ｇがセットされることとなり、最大３０ｇのずれに抑えることができる。
【００５６】
なお、本実施の形態においては、初期化手段２０９をマイコン１００に内蔵の低電圧検知回路により実現しているが、これはマイコン１００外からスイッチ操作など外部信号により動作させても、もちろん良い。
【００５７】
（実施の形態２）
図６は本発明の実施の形態２の炊飯器のブロック図を示すものである。
【００５８】
図６に示すように、算出手段２０６は重量検知部４０が検知する検知信号と第一の記憶手段２０５が記憶している鍋検知信号との差より鍋１２内の内容量を算出するもので、この算出手段２０６が内容量を算出するとき、第一の記憶手段２０５に記憶している鍋検知信号が所定の範囲（例えば、５７０ｇ以上６３０ｇ以下）内になければ、第一の記憶手段２０５は第二の記憶手段２１０に記憶している所定の鍋検知信号を記憶するように構成している。他の構成は上記実施の形態１と同じであり、同一符号を付して説明を省略する。
【００５９】
上記構成において、算出手段２０６による算出の動作を図７のフローチャートを参照しながら説明する。なお、ステップ１０５、１０６の動作は上記実施の形態１と同じであるので説明を省略する。
【００６０】
まず、ステップ１１０において算出手段２０６は第一の記憶手段２０５が記憶している鍋検知信号Ｎ１をチェックし、５７０ｇ未満かどうか判定する。５７０ｇ未満であれば、ステップ１０５へ進み、そうでなければステップ１１１へ進み、さらに６３０ｇを超えているかどうかチェックする。ステップ１１１で６３０ｇを超えていればステップ１０５へ進み、そうでなければステップ１１２へ進む。ステップ１１０、ステップ１１１で条件が真が成立したときは、ステップ１０５、ステップ１０６で、第一の記憶手段２０５の鍋検知信号Ｎ１に第二の記憶手段２１０に予め記憶している初期化用鍋検知信号をセットし、ステップ１１２へ進む。ステップ１１２では、第一の記憶手段２０５の鍋検知信号Ｎ１により、内容量の算出を行う。
【００６１】
以上のように、算出手段２０６が算出を行うときに、第一の記憶手段２０５の鍋検知信
号Ｎ１が５７０ｇ以上６３０ｇ以下の範囲になければ、第二の記憶手段２１０に予め記憶している初期化用鍋検知信号を鍋検知信号Ｎ１にセットし、使用することで、例えば、鍋１２の重量を６００±３０ｇで生産するとしたとき、６００ｇを初期化用鍋検知信号として第二の記憶手段２１０に記憶させて出荷すれば、記憶要求手段２１１で誤って、自動で第一の記憶手段２０５の鍋検知信号Ｎ１に空鍋以外の重量信号を記憶させたとしても、算出手段２０６が算出を行うとき、誤りを検知し、６００ｇがセットされることとなり、最大３０ｇのずれに抑えることができる。
【００６２】
（実施の形態３）
図８は、本発明の実施の形態３の炊飯器のブロック図である。
【００６３】
図８に示すように、算出手段２０６が内容量を算出するとき、算出手段２０６は第一の記憶手段２０５に記憶している鍋検知信号が所定の範囲（例えば、５７０ｇ以上６３０ｇ以下）内にあれば、第一の記憶手段２０５に記憶している鍋検知信号のもとに算出を行い、所定の範囲内になければ、第二の記憶手段２１０に記憶している鍋検知信号のもとに算出するよう構成している。他の構成は上記実施の形態１と同じであり、同一符号を付して説明を省略する。
【００６４】
上記構成において、算出手段２０６による算出の動作を図９のフローチャートを参照しながら説明する。なお、ステップ１１０〜１１２の動作は上記実施の形態２と同じであるので説明を省略する。
【００６５】
まず、ステップ１１０、ステップ１１１において算出手段２０６は第一の記憶手段２０５が記憶している鍋検知信号Ｎ１をチェックし、５７０ｇ以上６３０ｇ以下であれば、ステップ１１３に進み、そうでなければステップ１１４に進む。ステップ１１３で算出手段２０６は第一の記憶手段２０５の鍋検知信号Ｎ１を読み込み、ステップ１１４で算出手段２０６は第二の記憶手段２１０の初期化用鍋検知信号を読み込み、それぞれステップ１１２で内容量の算出を行う。
【００６６】
以上のように、算出手段２０６が算出を行うときに、第一の記憶手段２０５の鍋検知信号Ｎ１が５７０ｇ以上６３０ｇ以下の範囲になければ、第一の記憶手段２０５の鍋検知信号Ｎ１ではなく、第二の記憶手段２１０に予め記憶している初期化用鍋検知信号を使用して算出することで、例えば、鍋１２の重量を６００±３０ｇで生産するとしたとき、６００ｇを初期化用鍋検知信号として第二の記憶手段２１０に記憶させて出荷すれば、記憶要求手段２１１で誤って、自動で第一の記憶手段２０５の鍋検知信号Ｎ１に空鍋以外の重量信号を記憶させたとしても、算出手段２０６が算出を行うとき、誤りを検知し、６００ｇで計算することとなり、最大３０ｇのずれに抑えることができる。
【００６７】
（実施の形態４）
図１０は本発明の実施の形態４の炊飯器のブロック図である。
【００６８】
図１０に示すように、初期化手段２０９が第一の記憶手段２０５を初期化するとき、第一の記憶手段２０５は初期化したことを示す情報を合わせて記憶するとともに、記憶要求手段２１１により第一の記憶手段２０５に記憶したとき、初期化したことを示す情報を消去するようにし、算出手段２０６が内容量を算出するとき、第一の記憶手段２０５が初期化された情報を記憶していれば、第二の記憶手段２１０に記憶している所定の鍋検知信号を使用し算出するよう構成している。すなわち、算出手段２０６が内容量を算出するとき、第一の記憶手段２０５に初期化した情報を示すフラグ（以下、初期化フラグという）がセットされていなければ、第一の記憶手段２０５を、初期化フラグがセットしていれば、第二の記憶手段２１０の信号から算出するよう構成している。また、この初期化フラグは
、初期化手段２０９である低電圧検知回路が働いて第一の記憶手段２０５であるＲＡＭをすべて０でクリアした後セットし、記憶要求手段２１１で第一の記憶手段２０５に鍋検知信号Ｎ１を記憶したときにクリアするようにしている。他の構成は上記実施の形態１と同じであり、同一符号を付して説明を省略する。
【００６９】
上記構成において、算出手段２０６による算出の動作を図１１のフローチャートを参照しながら説明する。なお、ステップ１１２〜１１３の動作は上記実施の形態３と同じてあるので説明を省略する。
【００７０】
まず、ステップ１１５で算出手段２０６は第一の記憶手段２０５内に初期化フラグがセットされているかどうかチェックし、セットされていなければステップ１１３、ステップ１１２で第一の記憶手段２０５の鍋検知信号Ｎ１を読み込み算出し、セットされているならばステップ１１４、ステップ１１２で第二の記憶手段２１０の初期化用鍋検知信号を読み込み算出を行う。
【００７１】
以上のように、初期化手段２０９が働いてから記憶要求手段２１１が働くまでの間、初期化フラグがセットされているので、算出手段２０６が算出を行うときに、このフラグが立っているときは第一の記憶手段２０５の鍋検知信号Ｎ１が記憶されていないということが判定でき、代わりに第二の記憶手段２１０に予め記憶している初期化用鍋検知信号を使用して算出することができる。このようにすることで、例えば、鍋１２の重量を６００±３０ｇで生産するとしたとき、６００ｇを初期化用鍋検知信号として第二の記憶手段２１０に記憶させて出荷すれば、記憶要求手段２１１が動作しなくても、自動で第一の記憶手段２０５の鍋検知信号Ｎ１に６００ｇがセットされることとなり、最大３０ｇのずれに抑えることができる。
【００７２】
（実施の形態５）
図８に示す第一の記憶手段２０５は、初期化手段２０９により初期化する際、所定の範囲外の信号を記憶するようにしている。すなわち、鍋検知信号Ｎ１として０をセットするように構成している。他の構成は上記実施の形態３と同じである。
【００７３】
以上のように構成することで、第一の記憶手段２０５を初期化手段２０９により初期化する際は、空鍋重量としてはありえない０ｇの値がセットされるので、算出手段２０６が算出を行うときに、第一の記憶手段２０５の鍋検知信号Ｎ１が５７０ｇ以上６３０ｇ以下の範囲にないので、第二の記憶手段２１０に予め記憶している初期化用鍋検知信号を使用して算出することができるものである。
【００７４】
ここで、本実施の形態では初期化手段２０９により初期化する際、第一の記憶手段２０５の鍋検知信号Ｎ１として０ｇの値をセットしているが、これは８００ｇや１０００ｇなど、空鍋重量としてありえない重量信号をセットしてももちろん良い。
【００７５】
（実施の形態６）
図１に示す調整手段２１２は、第一の記憶手段２０５に第二の記憶手段２１０が記憶している初期化用鍋検知信号（所定の鍋検知信号）を記憶するとき、調整手段２１２からの調整信号により調整して記憶するように構成している。他の構成は上記実施の形態１と同じである。
【００７６】
この調整手段２１２は、図３の回路図において、固定抵抗器７３と半固定抵抗器７４との分圧値をマイコン１００内蔵の８ｂｉｔのＡＤ変換器でＡＤ変換し、電圧信号を数値に変換して実現している。このＡＤ入力値が０ｘ００から０ｘ７Ｆのときはプラスの調整を、０ｘ８０から０ｘＦＦのときはマイナスの調整をするようにしている。
【００７７】
すなわち、プラス調整のときは、第二の記憶手段２１０が記憶している初期化用鍋検知信号にＡＤ入力値を直接足して記憶し、マイナス調整のときはＡＤ入力値から０ｘ８０差し引いた数値を初期化用鍋検知信号から引いて記憶するようにしている。例えば、ＡＤ入力値が０ｘ２０のとき、０ｘ７Ｆ以下なので１０進数にして３２ｇ加算調整し、ＡＤ入力値が０ｘＣ５のときは０ｘ８０以上なので、０ｘＣ５から０ｘ８０で差し引いて０ｘ４５となり、１０進数にして６９ｇ減算調整を行う。
【００７８】
以上のように構成することで、第二の記憶手段２１０が書換え不可なメモリであっても、予め記憶している初期化用鍋検知信号を調整手段２１２により調整して、第一の記憶手段２０５に記憶することができる。
【００７９】
（実施の形態７）
図８に示す調整手段２１２は、算出手段２０６が内容量を算出するとき第二の記憶手段２１０をもとに計算する場合、調整手段２１２からの調整信号により第二の記憶手段が記憶している初期化用鍋検知信号（所定の鍋検知信号）を調整して計算するように構成している。他の構成は上記実施の形態３と同じである。
【００８０】
この調整手段２１２は、図３の回路図において、固定抵抗器７３と半固定抵抗器７４との分圧値をマイコン１００内蔵の８ｂｉｔのＡＤ変換器でＡＤ変換し電圧信号を数値に変換して実現している。このＡＤ入力値が０ｘ００から０ｘ７Ｆのときはプラスの調整を、０ｘ８０から０ｘＦＦのときはマイナスの調整をするようにしている。
【００８１】
すなわち、プラス調整のときは、第二の記憶手段２１０が記憶している初期化用鍋検知信号にＡＤ入力値を直接足して記憶し、マイナス調整のときはＡＤ入力値から０ｘ８０差し引いた数値を初期化用鍋検知信号から引いて計算するようにしている。例えば、ＡＤ入力値が０ｘ２０のとき、０ｘ７Ｆ以下なので１０進数にして３２ｇ加算調整し、ＡＤ入力値が０ｘＣ５のときは０ｘ８０以上なので、０ｘＣ５から０ｘ８０で差し引いて０ｘ４５となり、１０進数にして６９ｇ減算調整を行う。
【００８２】
以上のように構成することで、第二の記憶手段２１０が書換え不可なメモリであっても、予め記憶している初期化用鍋検知信号を調整手段２１２により調整して、算出手段２０６により算出することができる。
【００８３】
（実施の形態８）
図８に示す第一の記憶手段２０５は、調整手段２１２からの調整信号が所定の範囲外のとき、調整信号による調整を行わないで第二の記憶手段２１０が記憶している所定の鍋検知信号を記憶するようにしている。すなわち、第一の記憶手段２０５に第二の記憶手段２１０が記憶している初期化用鍋検知信号（所定の鍋検知信号）を記憶するとき、調整手段２１２からの調整信号により調整して記憶するが、調整信号が±６０ｇから外れているときは調整信号による調整を行わないように構成している。他の構成は上記実施の形態６と同じである。
【００８４】
以上のように構成することで、第二の記憶手段２１０が書換え不可なメモリであっても、予め記憶している初期化用鍋検知信号を調整手段２１２により調整して、第一の記憶手段２０５に記憶でき、調整手段２１２が例えば故障するなど異常値が入力された場合、誤って調整できないよう制限ができるものである。
【００８５】
また、調整手段２１２による調整を行わないときは、半固定抵抗器７４を取り去るだけで機能しなくすることができる。つまり、このときＡＤ入力値は０ｘＦＦと最大となるの
で、０ｘ８０で引いた０ｘ７Ｆ、すなわち１０進数１２７ｇのマイナス調整となり、±６０ｇの範囲外となるので、調整を行わなくすることができる。
【００８６】
（実施の形態９）
図８に示す算出手段２０６は、調整手段２１２からの調整信号が所定の範囲外のとき、調整信号による調整を行わないで、第二の記憶手段が記憶している所定の鍋検知信号をもとに算出するようにしている。すなわち、算出手段２０６が内容量を算出するとき第二の記憶手段２１０をもとに計算する場合、調整手段２１２からの調整信号により第二の記憶手段２１０が記憶している初期化用鍋検知信号（所定の鍋検知信号）を調整して計算するが、調整信号が±６０ｇから外れているときは調整信号による調整を行わないで計算するように構成している。他の構成は上記実施の形態７と同じである。
【００８７】
以上のように構成することで、第二の記憶手段２１０が書換え不可なメモリであっても、予め記憶している初期化用鍋検知信号を調整手段２１２により調整して、算出手段２０６は計算でき、調整手段２１２が例えば故障するなど異常値が入力された場合、誤って調整して計算できないよう制限することができる。
【００８８】
また、調整手段２１２による調整を行わないときは、半固定抵抗器７４を取り去るだけで機能しなくすることができる。つまり、このときＡＤ入力値は０ｘＦＦと最大となるので、０ｘ８０で引いた０ｘ７Ｆ、すなわち１０進数１２７ｇのマイナス調整となり、±６０ｇの範囲外となるので、調整を行わなくすることができる。
【００８９】
（実施の形態１０）
図１に示す表示手段２０７は、第一の記憶手段２０５に第二の記憶手段２１０が記憶している初期化用鍋検知信号（所定の鍋検知信号）を記憶してから、記憶要求手段２１１により新たな信号を記憶するまで、表示を行うように構成している。ここで、表示手段２０７は、液晶表示素子５３において、表示キャラクタ「鍋値リセット」という文字を点灯することで実現している。他の構成は上記実施の形態１と同じである。
【００９０】
以上のように構成することで、使用者はこの液晶表示素子５３内に「鍋値リセット」の文字を視認することで、マイコン１００にリセットが働いた後、第一の記憶手段２０５には記憶要求手段２１１により新たな信号を記憶していないことを認知できるとともに、算出手段２０６により内容量の算出はできるが、不正確である可能性があることも認知でき、逆に液晶表示素子５３内に「鍋値リセット」の文字が消えていれば、内容量の算出が正確であることが認知できるものである。
【００９１】
（実施の形態１１）
図８に示す表示手段２０７は、算出手段２０６が第二の記憶手段２１０が記憶している初期化用鍋検知信号（所定の鍋検知信号）をもとに内容量を算出するとき、表示を行うように構成している。ここで、表示手段２０７は、液晶表示素子５３において、表示キャラクタ「鍋値異常」という文字を点灯することで実現している。他の構成は上記実施の形態３と同じである。
【００９２】
以上のように構成することで、使用者はこの液晶表示素子５３内に「鍋値異常」の文字を視認することで、第一の記憶手段２０５には記憶要求手段２１１により鍋検知信号Ｎ１として異常な信号を記憶していることを認知できるとともに、算出手段２０６により内容量の算出はできるが、不正確である可能性があることも認知でき、逆に液晶表示素子５３内に「鍋値異常」の文字が消えていれば、内容量の算出が正確であることを認知することができる。
【産業上の利用可能性】
【００９３】
以上のように、本発明にかかる炊飯器は、重量検知に関する情報を予め記憶し、その情報が異常でも適切に処理できるので、鍋に入れた調理物の重量を検知する機能を有する炊飯器として有用である。
【図面の簡単な説明】
【００９４】
【図１】本発明の実施の形態１の炊飯器のブロック図
【図２】同炊飯器の一部切欠した側面図
【図３】同炊飯器の一部ブロック化した要部回路図
【図４】同炊飯器の操作・表示部の拡大平面図
【図５】同炊飯器の第一の記憶手段の初期化動作のフローチャート
【図６】本発明の実施の形態２の炊飯器のブロック図
【図７】同炊飯器の算出手段の動作フローチャート
【図８】本発明の実施の形態３の炊飯器のブロック図
【図９】同炊飯器の算出手段の動作フローチャート
【図１０】本発明の実施の形態４の炊飯器のブロック図
【図１１】同炊飯器の算出手段の動作フローチャート
【符号の説明】
【００９５】
１０  炊飯器本体
１２  鍋
２０  蓋
４０  重量検知部
２０１  加熱手段
２０５  第一の記憶手段
２０６  算出手段
２０９  初期化手段
２１０  第二の記憶手段
２１１  記憶要求手段